(57)【要約】【課題】画像表示装置による演出画像を可動体の位置に合わせて表示する際に、演出画像が可動に対してずれることなく視認され得るパチンコ遊技機を提供すること。【解決手段】パチンコ遊技機１は、表示画面４２ａに演出画像４４を表示する画像表示装置４２と、演出時に可動体（昇降部材７１）を移動させる可動体装置（昇降可動体装置７０）とを備え、演出画像を昇降部材の移動後の位置に合わせて表示する統合演出を実行する。昇降部材は、視認可能領域Ｓと前方から見て重ならないように、画像表示装置の前方に、表示画面との前後方向の離隔距離をＬ１として初期配置される。統合演出の実行時、昇降部材が、前方から見て視認可能領域と重なるように移動されるとともに、表示画面との前後方向の離隔距離をＬ１からＬ２へ近づけるように後方へ移動される。【選択図】図９
2011010872.tif 000002
【特許請求の範囲】
【請求項１】
表示画面に演出画像を表示する画像表示装置と、
演出時に可動体を移動させる可動体装置と、を備え、
前記演出画像を前記可動体の移動後の位置に合わせて表示する統合演出を実行するパチンコ遊技機において、
前記可動体は、遊技盤に取り付けられた前記画像表示装置の前記表示画面のうち前方から視認可能とされる領域（以下、「視認可能領域」という。）と、前方から見て重ならないように、前記画像表示装置の前方に、前記表示画面との前後方向の離隔距離を所定距離以上離して初期配置され、
前記統合演出の実行時、前記可動体が、前方から見て前記視認可能領域と重なるように移動されるとともに、前記表示画面との前後方向の離隔距離を前記所定距離未満に近づけるように後方へ移動されることを特徴とするパチンコ遊技機。
【請求項２】
前記可動体は、前方から前記演出画像を視認可能な表示窓部を備え、
前記統合演出の実行時、
前記可動体は、前記表示窓部が前記視認可能領域と重ならない状態から重なる状態へ移動するとともに、
前記演出画像が、前記表示窓部の後方に表示されることを特徴とする請求項１に記載のパチンコ遊技機。
【請求項３】
前記可動体とは異なる他の可動体が、前記視認可能領域と前方から見て重ならないように、前記表示画面と初期配置された前記可動体との前後方向における間に、前記表示画面との前後方向の離隔距離を前記所定距離未満として初期配置され、
前記他の可動体を前方から見て前記視認可能領域と重なるように移動させるとともに、前記他の可動体の位置に合わせて前記表示画面に演出画像を表示可能とされていることを特徴とする請求項１または請求項２に記載のパチンコ遊技機。
【発明の詳細な説明】
【技術分野】
【０００１】
本発明は、パチンコ遊技機、特に、可動体と、画像表示装置による画像表示とを組み合わせた統合演出を行うパチンコ遊技機に関する。
【背景技術】
【０００２】
従来、可動体と画像表示装置による画像表示とを組み合わせた統合演出を行うパチンコ遊技機としては、例えば、下記特許文献１に示すように、画像表示装置（液晶表示器）の前方に、ガイドレール上を左右方向にスライドする可動体（開閉部材）が前後に二組設けられ、この可動体により画像表示装置の表示画面が遮蔽されるパチンコ遊技機が知られている。このパチンコ遊技機では、可動体に、半透明の板材により構成された表示窓部（障壁部）が障子を模すように設けられているため、表示画面が遮蔽された状態においても、画像表示装置による演出画像が表示窓部を介して遊技者に視認可能とされていた。
【先行技術文献】
【特許文献】
【０００３】
【特許文献１】特開２００７−９８０２７号公報
【発明の概要】
【発明が解決しようとする課題】
【０００４】
しかしながら、上記パチンコ遊技機では、画像表示装置の表示画面から離れた前方側の可動体を介して演出画像が視認される場合、画像表示装置の表示画面と可動体の表示窓部とが離れているため、遊技者側から見ると（特に、表示窓部に対して斜めに見ると）、演出画像が可動体に対してずれて視認されることがあった。
【０００５】
本発明は、上記事情に鑑み、画像表示装置の表示画面から前方に離れて設けられている可動体の表示窓部の後方に、画像表示装置による演出画像を表示する場合であっても、画像表示装置による演出画像が可動体の表示窓部に対してずれることなく視認され得るパチンコ遊技機を提供することを目的とする。
【課題を解決するための手段】
【０００６】
本発明のパチンコ遊技機は、表示画面に演出画像を表示する画像表示装置と、演出時に可動体を移動させる可動体装置と、を備え、前記演出画像を前記可動体の移動後の位置に合わせて表示する統合演出を実行するパチンコ遊技機において、前記可動体は、遊技盤に取り付けられた前記画像表示装置の前記表示画面のうち前方から視認可能とされる領域（以下、「視認可能領域」という。）と、前方から見て重ならないように、前記画像表示装置の前方に、前記表示画面との前後方向の離隔距離を所定距離以上離して初期配置され、前記統合演出の実行時、前記可動体が、前方から見て前記視認可能領域と重なるように移動されるとともに、前記表示画面との前後方向の離隔距離を前記所定距離未満に近づけるように後方へ移動されることを特徴とする。ここで、所定距離とは、遊技者から見て、統合演出時に演出画像が可動体に対してずれて視認される現象が生じ得る距離をいう。
【０００７】
本発明によれば、可動体と演出画像とを組み合わせた統合演出を実行する際、可動体を表示画面の視認可能領域と正面視で重なるように移動させるとともに、可動体と表示画面との前後方向の離隔距離が所定距離未満になるように、可動体を表示画面に対して近づけるため、可動体と表示画面との離隔距離をそのままにして鉛直方向に沿って可動体を移動させる場合に比べて、統合演出時の演出画像が可動体に対してずれて視認されるおそれを低下させることができる。従って、演出画像が可動体に対して狙い通りの位置で良好に視認されやすくなり、統合演出を遊技者が違和感無く視認可能なものにすることができるので、統合演出の意匠性を高め、パチンコ遊技の興趣を向上できる。
【０００８】
また、本発明のパチンコ遊技機では、前記可動体は、前方から前記演出画像を視認可能な表示窓部を備え、前記統合演出の実行時、前記可動体は、前記表示窓部が前記視認可能領域と重ならない状態から重なる状態へ移動するとともに、前記演出画像が、前記表示窓部の後方に表示される構成とすることができる。
【０００９】
このような構成とすれば、統合演出において演出画像が可動体の表示窓部を介して視認されるため、あたかも演出画像が可動体の一部であるかのような、可動体と演出画像との一体感の高い演出（統合演出）を実行することができ、統合演出の興趣性を高めることができる。
【００１０】
また、本発明のパチンコ遊技機では、前記可動体とは異なる他の可動体が、前記視認可能領域と前方から見て重ならないように、前記表示画面と初期配置された前記可動体との前後方向における間に、前記表示画面との前後方向の離隔距離を前記所定距離未満として初期配置され、前記他の可動体を前方から見て前記視認可能領域と重なるように移動させるとともに、前記他の可動体の位置に合わせて前記表示画面に演出画像を表示可能とされている構成とすることができる。
【００１１】
このような構成とすれば、可動体（以下、「第１の可動体」という。）は、他の可動体（以下、「第２の可動体」という。）が配置される分だけ、表示画面との間に前後方向の離隔距離を設けて配置されることが必要となるところ、統合演出において、表示画面との前後方向の離隔距離を所定距離未満に近づけるように後方へ移動されるため、統合演出時の演出画像が第１の可動体に対してずれて視認されるおそれを低下させることができる。従って、第２の可動体に合わせて演出画像を表示する場合も、第１の可動体に合わせて演出画像を表示する場合も、演出画像が第１の可動体又は第２の可動体に対して狙い通りの位置で良好に視認されやすくなり、統合演出を遊技者が違和感無く視認可能な意匠性の良い演出とすることができる。
【図面の簡単な説明】
【００１２】
【図１】本発明の一実施形態に係るパチンコ遊技機の正面図である。
【図２】同実施形態に係る電気系統のブロック図である。
【図３】同実施形態に係る中央役物装置等の分解斜視図である。
【図４】同中央役物装置の要部を示す分解斜視図である。
【図５】同中央役物装置が備える開閉可動体装置を示す後方側からみた要部概略斜視図である。
【図６】同中央役物装置が備える昇降可動体装置を示す前方側からみた要部概略斜視図である。
【図７】同昇降可動体装置を示す後方側からみた要部概略斜視図である。
【図８】同昇降可動体装置の動作後の状態を示す後方側からみた要部概略斜視図である。
【図９】同昇降可動体装置の動作を示す概略側面図である。
【図１０】同昇降可動体装置を用いた統合演出を示すパチンコ遊技機の正面図である。
【図１１】同昇降可動体装置を用いた統合演出を示す概略斜視図である。
【図１２】開閉可動体装置の動作後の状態を示す後方側からみた要部概略斜視図である。
【図１３】同開閉可動体装置を用いた統合演出を示すパチンコ遊技機の正面図である。
【図１４】実施形態のパチンコ遊技機の変更例を示す概略斜視図である。
【図１５】実施形態のパチンコ遊技機のさらに他の変更例を示す概略側面図である。
【発明を実施するための形態】
【００１３】
本発明の一実施形態に係るパチンコ遊技機について、図面に基づいて説明する。なお、本明細書において、上下方向および左右方向は、パチンコ遊技機を正面から見たときを基準として定め、また前後方向は、パチンコ遊技機自体の前後方向と一致させる。
【００１４】
図１に示すように、本発明の一実施形態に係るパチンコ遊技機１は、枠ランプ１７及びスピーカ１８が配設された前面枠１２と、前面枠１２の内側に配設された遊技盤２とを備え、遊技盤２には遊技球が流下する遊技領域３が形成されている。遊技領域３には、ゲート１１、電動チューリップ８を備えた始動入賞装置７、大入賞装置９、及び、普通入賞装置１０が配設されている。遊技領域３の中央部には中央役物装置３０が配設され、中央役物装置３０には、画像表示装置４２の表示画面４２ａが配設されている。画像表示装置４２は、液晶表示器などで構成され、表示画面４２ａに、公知のデモ表示、図柄変動表示、リーチ演出、大当たり演出などを表示する。また、遊技盤２には、盤ランプ１９が配設され、遊技領域３の外側には、普通図柄表示器１３、特別図柄表示器１４、普通図柄保留ランプ１５、及び、特別図柄保留ランプ１６が配設されている。なお、中央役物装置３０は、後述する開閉可動体装置５０および昇降可動体装置７０を備えて構成されている。
【００１５】
図２に示すように、実施形態のパチンコ遊技機１の電気系統は、主制御基板２０、払出制御基板２１、演出制御基板２２、画像制御基板２３、及び、ランプ制御基板２４を備えている。主制御基板２０は、大当たり判定を行う判定手段を有して、利益に関わる制御を行うものである。主制御基板２０には、払出制御基板２１、及び、演出制御基板２２が接続されるとともに、始動入賞装置７に設けられた始動口ＳＷ（スイッチ）７ａ、電動チューリップ８を作動させる電チューソレノイド８ａ、ゲート１１に設けられたゲートＳＷ１１ａ、大入賞装置９に設けられた大入賞口ＳＷ９ａ、大入賞装置９を作動させる大入賞口ソレノイド９ｂ、普通入賞装置１０に設けられた普通入賞口ＳＷ１０ａ、特別図柄保留ランプ１６、普通図柄保留ランプ１５、特別図柄表示器１４、及び、普通図柄表示器１３がそれぞれ接続されている。
【００１６】
また、演出制御基板２２には、画像制御基板２３及びランプ制御基板２４が接続されている。画像制御基板２３には、画像表示装置４２及びスピーカ１８が接続されて、画像表示装置４２は、画像制御基板２３から受信した信号に従って表示画面４２ａに画像を表示する。ランプ制御基板２４には、枠ランプ１７、盤ランプ１９、開閉可動体装置５０、及び、昇降可動体装置７０が接続されて、開閉可動体装置５０、及び、昇降可動体装置７０は、ランプ制御基板２４から受信した信号に従って作動する。さらに、払出制御基板２１には、払出装置（図示せず。）を駆動する払出駆動モータ２６が接続されている。
【００１７】
図３に示すように、中央役物装置３０は、遊技盤２に対して前面側から取り付けられる前側部材３１と、遊技盤２に対して後面側から取り付けられる後側部材３５とから構成されている。前側部材３１には、始動入賞装置７に遊技球を案内可能なステージ部３２と、ステージ部３２に遊技球を案内するワープ通路部３３とが形成されている。
【００１８】
後側部材３５は、ベース枠体３６と、開閉可動体装置５０と、昇降可動体装置７０と、上側装飾部材３８と、右側装飾部材４０とを備え、ベース枠体３６に対してこれらの各部材５０，７０，３８，４０が前方から取り付けられて、遊技盤２の後面側に取り付けられる。なお、ベース枠体３６の後面側には、画像表示装置４２が取り付けられている。
【００１９】
ベース枠体３６は、中央に、画像表示装置４２の表示画面４２ａと略同一の大きさで形成された略長方形状の開口部３６ａを有している。この開口部３６ａにより、ベース枠体３６に取り付けられた画像表示装置４２の表示画面４２ａが前方から視認可能となる。また、ベース枠体３６の開口部３６ａの下方には，後述する開閉可動体装置５０の開閉部材５１，５２を駆動する開閉部材駆動機構６４と、昇降可動体装置７０の昇降部材７１を駆動する昇降部材駆動機構９２とが配設されている。
【００２０】
上側装飾部材３８及び右側装飾部材４０は、実施形態のパチンコ遊技機１の表現するテーマに合わせて模られた装飾図形部３９，４１を有している。装飾図形部３９，４１は、パチンコ遊技機１を装飾するもので、上側装飾部材３８及び右側装飾部材４０が遊技盤２に取り付けられた状態では、遊技盤２の前面側から視認可能とされる（図１参照）。
【００２１】
開閉可動体装置５０は、図４，５に示すように、仮面の左側半分を模った左側開閉部材５１と、仮面の右半分を模った右側開閉部材５２と、これら両開閉部材５１，５２（「他の可動体」に相当）を駆動する開閉部材駆動機構６４とを備える。開閉可動体装置５０は、表示画面４２ａを挟んで左右に離れて初期配置された左側開閉部材５１と右側開閉部材５２とを、開閉部材駆動機構６４により互いに近づけるように移動させ、表示画面４２ａの前方で１つの仮面を形成する装置である（図１，１３参照）。
【００２２】
左側開閉部材５１は、薄板状の合成樹脂材で形成され、仮面の左半分が模られた左側装飾部５１ａと、左側装飾部５１ａの下縁から延設される取付部５１ｂとを備えている。一方、右側開閉部材５２は、左側開閉部材５１と同様に薄板状の合成樹脂材で形成され、左側装飾部材５１に対して左右対称となる仮面の右半分が模られた右側装飾部５２ａと、右側装飾部５２ａの下縁から延設される取付部５２ｂとを備えている。
【００２３】
左側開閉部材５１および右側開閉部材５２は、図４に示すように、取付プレート５４を利用してベース枠体３６に対して取り付けられる。取付プレート５４には、左右方向に軸方向を沿わせた案内棒５６，５７が上下に２本配設されている。図５に示すように、上側案内棒５６には、下面側にギア部５８ａが形成された上側ラック部材５８が、摺動可能に挿通されている。また、下側案内棒５７には、上面にギア部５９ａが形成された下側ラック部材５９が、摺動可能に挿通されている。各ラック部材５８，５９は、長手方向の長さ寸法を案内棒５６，５７の軸長の略１／２程度に形成されて、上側ラック部材５８は、上側案内棒５６の左側に寄って初期配置され、下側ラック部材５９は、下側案内棒５７の右側に寄って初期配置されている。上側ラック部材５８の左端部には、左側開閉部材５１が取付部５１ｂを利用してねじ固定されている。下側ラック部材５９の右端部には、右側開閉部材５２が取付部５２ｂを利用してねじ固定される。なお、これら上側ラック部材５８及び下側ラック部材５９は、開閉部材駆動機構６４を構成するものである。
【００２４】
開閉部材駆動機構６４は、図４，５に示すように、ベース枠体３６に固着される電動モータ６５を備える。電動モータ６５には、正逆回転可能なステッピングモータが用いられ、図５に示すように、電動モータ６５の出力軸６５ａには、駆動ギア６６が固着されている。駆動ギア６６は、前方を小歯車６７ａ、後方を大歯車６７ｂとする第１の段歯車６７の小歯車６７ａと噛み合い、第１の段歯車６７の大歯車６７ｂは、第１の段歯車６７と同様に形成された第２の段歯車６８の小歯車６８ａと噛み合っている。第２の段歯車６８の大歯車６８ｂは、前後にギア部６９ａ，６９ｂを有する円筒状ギア６９の後方側ギア部６９ａと噛み合っている。円筒状ギア６９の前方側ギア部６９ｂは、上部において上側ラック部材５８のギア部５８ａと噛み合い、下部において下側ラック部材５９のギア部５９ａと噛み合っている。これにより、電動モータ６５が駆動されると、円筒状ギア６９が図５に示す矢印の方向に回転されて、上側ラック部材５８が右方向へ摺動し、下側ラック５９が左方向へ摺動するため、左側開閉部材５１及び右側開閉部材５２は互いに近づくように移動することになる。
【００２５】
なお、左側開閉部材５１及び右側開閉部材５２は、ベース枠体３６に取り付けられた状態では、上端部５１ｃ，５２ｃを支持プレート６２により支持される。これにより、左側開閉部材５１及び右側開閉部材５２は、停止時、作動中ともに、前後にぶれることなく鉛直状態に保持される。
【００２６】
昇降可動体装置７０は、図４，６，７に示すように、パトランプを模った昇降部材７１（「可動体」に相当）と、昇降部材７１を駆動する昇降部材駆動機構９２と、昇降部材７１の昇降動作を案内するガイド部材８４と、昇降部材７１及びガイド部材８４が取り付けられてベース枠体３６に固定されるベース部材９０とを備える。昇降可動体装置７０は、表示画面４２ａの前方かつ下方に初期配置された昇降部材７１を、昇降部材駆動機構９２により、表示画面４２ａと前後方向で重なる位置へと上昇させる装置である（図１，１０参照）。
【００２７】
昇降部材７１は、図６に示すように、作動時に表示画面４２ａと前後方向で重なり合って遊技者から視認される装飾本体部７２と、装飾本体部７２の右下端から延設される右側脚部７６と、装飾本体部７２の左下端から延設される左側脚部８０とを有する。
【００２８】
装飾本体部７２は、前方から見て左右方向に長い略直方体形状とされてパトランプの形状に模られている。装飾本体部７２の上下方向の長さ寸法は、表示画面４２ａの上下方向の長さ寸法の略１／３程度とされ、装飾本体部７２の左右方向の幅寸法は、表示画面４２ａの左右方向の幅寸法の略２／３程度とされている（図１０参照）。また、装飾本体部７２は、上下方向の略中央部位に、左右方向に長い略長方形状に開口された表示窓部７３を有している。表示窓部７３には、透明の合成樹脂により形成されたカバー部材７３ａが、開口の形状に合わせて嵌められている。表示窓部７３は、昇降部材７１を表示画面４２ａと前後方向で重ねた場合に、表示画面４２ａに表示される演出画像を、前方から視認可能とするものである。なお、表示窓部７３の下方には、昇降部材７１を装飾する装飾物７４が配設されている。
【００２９】
右側脚部７６および左側脚部８０は、昇降部材７１を昇降部材駆動機構９２と連結する部位であり、また昇降部材７１をガイド部材８４に係合させる部位である。
【００３０】
右側脚部７６は、図７に示すように、右下部に、後方から見て前方に凹む係合凹部７７を有している。係合凹部７７には、後述する右側揺動アーム１０２の先端部１０２ａが係合され、連結軸７８を用いて軸支されている。連結軸７８は、係合凹部７７を形成する左右の壁部７７ａ，７７ｂに対して、両端部を挿通され固定されている。また、連結軸７８は、右側揺動アーム１０２の先端部１０２ａに形成された楕円形状の長溝１０３に対して、長軸方向に摺動可能に挿通されている。
【００３１】
また、右側脚部７６の右側面には、図６に示すように、後述する右側ガイド部材８５のガイド溝部８６に係合するスライダー部７９が、右方向に突出して設けられている。スライダー部７９は、上下方向を長手方向として、下部から上部に向かって後方へ傾斜した傾斜片部として形成されている。また、スライダー部７９は、ガイド溝部８６の幅寸法に対応した略円柱部７９ａ，７９ａを両端に有している。略円柱部７９ａ，７９ａは、各々、ガイド溝部８６の内壁に対して幅方向の２箇所で接触する。これにより、スライダー部７９は、ガイド溝部８６を案内方向に沿ってがたつきなく摺動できるとともに、ガイド溝部８６との接触面積が小さことにより、小さな摩擦抵抗で摺動可能となっている。なお、実施形態の場合、スライダー部７９の傾斜角θ（図９参照）は、水平方向に対して略７５度とされ、また、スライダー部７９の長手方向の長さ寸法は、ガイド溝部８６の案内方向の長さ寸法に対して、略１／３程度とされている（図９参照）。
【００３２】
左側脚部８０は、右側脚部７６と左右対称に形成されており、図７に示すように、左下部に形成された係合凹部８１に、後述する左側揺動アーム１０６の先端部１０６ａを係合させて、連結軸８２により軸支している。連結軸８２は、左側揺動アーム１０６の先端部１０６ａに形成された楕円形状の長溝１０７に対して、長軸方向に摺動可能に挿通されている。また、左側脚部８０の左側面には、図６に示すように、後述する左側ガイド部材８７のガイド溝部８８に係合するスライダー部８３が左方向に突出して設けられている。
【００３３】
ガイド部材８４は、図６に示すように、前方から見て昇降部材７１の右側に配置される右側ガイド部材８５と、前方から見て昇降部材７１の左側に配置される左側ガイド部材８７とから構成されている。右側ガイド部材８５は、上下方向を長手方向として、下部から上部にかけて後方へ傾斜したガイド溝８６を有し、ガイド溝８６には、昇降部材７１の右側脚部７６のスライダー部７９が摺動可能に係合される。左側ガイド部材８７は、右側ガイド部材８５と左右対称に構成されており、上下方向を長手方向として、下部から上部にかけて後方へ傾斜したガイド溝８８には、昇降部材７１の左側脚部８０のスライダー部８３が摺動可能に係合される。これらガイド部材８５，８７は、取付部８５ａ，８７ａを利用して、ベース部材９０に対して後面側からねじ固定される。そして、ベース部材９０は、図４に示すように、ガイド部材８５，８７および昇降部材７１が組み付けられた状態で、ベース枠体３６に対して前方からねじ固定される。
【００３４】
昇降部材駆動機構９２は、図７に示すように、ベース枠体３６に固着される電動モータ９３を有する。電動モータ９３には、正逆回転可能なステッピングモータが用いられ、電動モータ９３の出力軸９３ａには、駆動ギア９４が固着されている。駆動ギア９４のギア上部には、右側揺動アーム１０２の元部端１０２ｂに形成された略１／３円弧の扇状ギア部１０４のギア下部が噛み合っている。右側揺動アーム１０２は、右側面から見て略Ｓ字に湾曲した形状とされ、上述したように、先端部１０２ａに形成された長溝１０３に連結軸７８が挿通されて、昇降部材７１の右下部に連結されている。
【００３５】
また、駆動ギア９４のギア下部には、第１連動ギア９５が噛み合っており、第１連動ギア９５は、軸方向を左右方向に沿わせて配置されたシャフト９６の右端に固着された第２連動ギア９７と、噛み合っている。シャフト９６は、左端側に第３連動ギア９８を固着させており、この第３連動ギア９８から順に、第４連動ギア９９、第５連動ギア１００と噛み合って、第５連動ギア１００は、左側揺動アーム１０６の元部端１０６ｂに形成された略１／３円弧の扇状ギア部１０８のギア下部と噛み合っている。左側揺動アーム１０６は、右側揺動アーム１０２と同様に形成されており、左側面から見て略Ｓ字に湾曲した形状とされ、上述したように、先端部１０６ａに形成された長溝１０７に連結軸８２が挿通されて、昇降部材７１の左下部に連結されている。
【００３６】
次に、以上のように構成された昇降可動体装置７０の動作について、図７〜１１に基づいて説明する。
【００３７】
動作前の初期配置では、昇降部材７１は、図９に二点鎖線で示すように、画像表示装置４２の前方において、昇降部材７１の上縁が表示画面４２ａの下縁と前後方向で重なる程度の高さ位置に配置されている。これをパチンコ遊技機１の正面から見れば、昇降部材７１は、図１に網かけにより示した部分、すなわち、表示画面４２ａのうち前方から視認可能とされる領域Ｓ（以下「視認可能領域」という。）と、前方から見て重ならないで、視認可能領域Ｓの下方に配置されている。また、昇降部材７１は、この初期配置状態において、表示画面４２ａとの前後方向の離隔距離を、Ｌ１（図９参照）として配置されている。ここで、離隔距離Ｌ１（所定距離に相当）は、後述する統合演出時に、遊技者から見て、図１１のＢに示すように、演出画像４４が昇降部材７１に対してずれて視認される現象が生じ得る距離とされている。なお、この初期配置状態においては、昇降部材７１は、遊技盤２の前面側から見てステージ部３２の後方に略隠れた状態にある（図１参照）。
【００３８】
この状態から、演出制御基板２２により昇降可動体装置７０を用いる所定のリーチ演出が選択されて、ランプ制御基板２４からの信号に基づいて電動モータ９３が駆動（正転）されると、昇降部材７１は、ガイド部材８４に案内されて斜め後方（図７に二点鎖線で示す方向）へ向かって上昇して、図８に示す状態となる。
【００３９】
具体的に説明すれば、電動モータ９３が駆動（正転）されると、図７に示すように、駆動ギア９４が、矢印の方向に回転する。駆動ギア９４のギア上部には右側揺動アーム１０２の扇状ギア部１０４が噛み合っているため、右側揺動アーム１０２は、駆動ギア９４の回転に伴って図示矢印の方向に回転していく。また、駆動ギア９４のギア下部には、第１連動ギア９５が噛み合っており、以降、第１連動ギア９５から順に、第２連動ギア９７、シャフト９６、第３連動ギア９８、第４連動ギア９９、第５連動ギア１００と、電動モータ９３の動力を伝達可能に連結されているため、それぞれが図示矢印の方向に回転する。そして、第５連動ギア１００には左側揺動アーム１０６の扇状ギア部１０８が噛み合っているため、左側揺動アーム１０６は、図示矢印の方向に回転していく。なお、このとき、右側揺動アーム１０２および左側揺動アーム１０６は、各扇状ギア部１０４，１０８の下端部１０４ａ，１０８ａが駆動ギア９４または第５連動ギア１００と噛み合っている状態（図７参照）から、扇状ギア部１０４，１０８の後端部１０４ｂ，１０８ｂが駆動ギア９４または第５連動ギア１００と噛み合っている状態（図８参照）まで、変位することになる。
【００４０】
そして、このような両揺動アーム１０２，１０６の回転に伴って、両揺動アーム１０２，１０６に軸支されている昇降部材７１は、左右のスライダー部７９，８３を、係合している左右のガイド溝部８６，８８に沿って摺動させて、図９図示矢印ａで示す方向すなわち上斜め後方へ向かって上昇移動していく。なお、昇降部材７１の移動に伴って、初期配置位置では長溝１０３，１０７内の前方側に位置していた連結軸７８，８２は、長溝１０３，１０７内を前後に一往復する。すなわち、連結軸７８，８２は、昇降部材７１の上昇移動途中で後方側へ移動し、その後昇降部材７１が上昇し終えるまでに再び前方側へ移動する。
【００４１】
このようにして、昇降部材７１は、表示画面４２aとの前後方向の離隔距離Ｌ１を縮めるように、ガイド部材８４に沿って後方へ移動しながら上昇するため、上昇後の昇降部材７１と表示画面４２ａとの離隔距離は、図９に示すように、Ｌ２へと小さくなる。ここで、離隔距離Ｌ２は、後述する統合演出時に、遊技者から見て、図１１のＡに示すように、演出画像４４が昇降部材７１に対してほとんどずれずに視認される距離となっている。なお、実施形態では、離隔距離Ｌ２は、約１ｍｍに設定されている。また、上昇後の昇降部材７１は、表示窓部７３の全域が前方から見て表示画面４２ａの視認可能領域Ｓと重なった状態となっている（図１０参照）。
【００４２】
一方、画像表示装置４２は、図１０に示すように、このような昇降部材７１の上昇に合わせて、演出制御基板２２から信号を受けた画像制御基板２３からの信号に基づいて、表示画面４２aに、選択されたリーチ演出に合わせた演出画像４４を表示する。この演出画像４４は、実施形態では、演出に登場するキャラクタの台詞をあらわす文字画像とされ、昇降部材７１の表示窓部７３の後方に表示される。このため、遊技者は、表示窓部７３を介して演出画像４４を視認することになる。なお、このように、昇降部材７１のような可動体の移動した位置に合わせて、表示画面４２ａに演出画像４４を表示する演出を、統合演出という。パチンコ遊技機１では、この統合演出により、遊技者に対して抽選結果や大当たり期待度等を報知している。
【００４３】
ここで、実施形態のパチンコ遊技機１では、上昇した昇降部材７１と表示画面４２aとの前後方向の離隔距離がＬ２（図９参照）と小さいため、図１１のＡに示すように、遊技者が表示画面４２aに対して正対せずに表示画面４２aを斜めに視認した場合であっても、演出画像４４である文字画像がすべて表示窓部７３の中に視認され、昇降部材７１に対してずれて視認されてしまうことがない。なお、昇降部材７１が表示画面４２aとの離隔距離をＬ１（図９参照）としたまま鉛直方向に沿って上昇して、画像表示装置４２が表示窓部７３の後方に演出画像４４を表示した場合には、遊技者が表示画面４２aを斜めに視認すると、図１１のＢに示すように、演出画像４４である文字画像の先頭の文字が表示窓部７３の周囲枠７５の後ろに隠れてしまって視認できない現象が生じる。すなわち、演出画像４４が昇降部材７１に対してずれて視認されてしまい、統合演出として狙い通りの意匠性を満たすことができない。
【００４４】
統合演出を実行した後は、ランプ制御基板２４からの信号に基づいて、電動モータ９３が逆転されて、昇降部材７１は、図８に示す位置から図７に示す初期配置位置まで下降する。具体的には、電動モータ９３が逆転されると、昇降部材駆動機構９２の各部材９４，９５，９６，９７，９８，９９，１００，１０２，１０６が、昇降部材７１の上昇時とは反対方向（図８に矢印で示す方向）に回転するため、昇降部材７１は、図９図示矢印ｂで示す方向すなわち下斜め前方へ向かって下降していき、表示画面４３ａとの離隔距離を再びＬ１とする。
【００４５】
続いて、開閉可動体装置５０を用いた統合演出について、図５，９，１２，１３に基づいて説明する。
【００４６】
動作前の初期配置では、左側開閉部材５１および右側開閉部材５２は、図１３に二点鎖線で示すように、画像表示装置４２の前方において、表示画面４２ａの視認可能領域Ｓ（図１参照）を間に挟んでその左右に配置されている。また、左側開閉部材５１および右側開閉部材５２は、この初期配置状態において、図９に示すように、表示画面４２ａとの前後方向の離隔距離をＬ３として、表示画面４２aと昇降部材７１との前後方向における間に配置されている。ここで、離隔距離Ｌ３は、上昇した昇降部材７１と表示画面４２ａとの離隔距離Ｌ２と略同一寸法とされている。この初期配置状態において、左側開閉部材５１および右側開閉部材５２は、遊技盤２の前面側から見て右側装飾部材４０や遊技盤２自体の後方に隠れて遊技者から視認されない（図１，１３参照）。
【００４７】
この状態から、演出制御基板２２により開閉可動体装置５０を用いる所定のリーチ演出が選択されて、ランプ制御基板２４からの信号に基づいて、電動モータ６５が駆動（正転）されると、図５に示すように、左側開閉部材５１および右側開閉部材５２は、互いに近づくように右方または左方に移動して、図１２に示す状態となる。
【００４８】
具体的に説明すれば、電動モータ６５が駆動（正転）されると、図５に示すように、各ギア（駆動ギア６６、第１の段歯車６７、大２の段歯車６８、円筒状ギア６９）は、図示矢印の方向に、順に回転していく。そして、円筒状ギア６９の前側ギア部６９ｂには、上下２つのラック部材５８，５９が噛み合っているため、上側ラック部材５８は、上側案内棒５６に沿って右方へ摺動し、下側ラック部材５９は、下側案内棒５７に沿って左方へ摺動して、左側開閉部材５１および右側開閉部材５２を、互いに近づくように移動させる。そのため、左側開閉部材５１および右側開閉部材５２は、図１２，１３に示すように、表示画面４２ａの左右方向の略中央位置で、互いの内側の側面を当接させて、仮面を形成する。
【００４９】
一方、画像表示装置４２は、図１３に示すように、このような左側開閉部材５１および右側開閉部材５２の移動に合わせて、演出制御基板２２から信号を受けた画像制御基板２３からの信号に基づいて、表示画面４２ａに、選択されたリーチ演出に合わせた演出画像４５を表示する。実施形態では、この演出画像４５として、人物の顔をあらわした演出画像を表示し、左側開閉部材５１および右側開閉部材５２の移動の前に、この演出画像４５を表示することにより、あたかも演出画像４５の人物が仮面を着用したかのような統合演出を実行する。ここで、左側開閉部材５１および右側開閉部材５２と表示画面４２aとの前後方向の離隔距離は、上昇移動後の昇降部材７１との離隔距離Ｌ２と同じＬ３（図９参照）に設定されていることから、遊技者が表示画面４２aに対して正対せずに、表示画面４２aを斜めに視認した場合であっても、演出画像４５は左側開閉部材５１および右側開閉部材５２に対してずれて視認されない。
【００５０】
統合演出を実行した後は、ランプ制御基板２４からの信号に基づいて、電動モータ６５が逆転されて、左側開閉部材５１および右側開閉部材５２は、図１２に示す位置から図５に示す初期配置位置まで移動する。具体的には、電動モータ６５が逆転されると、開閉部材駆動機構６４の各部材５８，５９，６６，６７，６８，６９が、仮面を形成する際とは反対方向（図１２に矢印で示す方向）に回転するため、左側開閉部材５１および右側開閉部材５２は、表示画面４２ａの中央から左右に離れるように移動していき、再び遊技者側から視認不能となる。
【００５１】
以上説明したように、実施形態のパチンコ遊技機１では、昇降部材７１と演出画像４４とを組み合わせた統合演出を実行する際、昇降部材７１と表示画面４２ａとの離隔距離が、初期配置時のＬ１（図９参照）より小さいＬ２（図９参照）になるように、昇降部材７１を表示画面４２ａに対して近づけるため、昇降部材７１と表示画面４２aとが離隔距離Ｌ１と離れていることに起因して生じる、昇降部材７１に対する演出画像４４のずれ（図１１のＢ参照）が発生せず、演出画像４４が昇降部材７１に対して狙い通りの位置で良好に視認される（図１１のＡ参照）。従って、統合演出を、遊技者が違和感なく視認可能な演出にすることができるので、統合演出の意匠性を高めてパチンコ遊技の興趣を向上することができる。
【００５２】
また、実施形態のパチンコ遊技機１では、統合演出において、図１０に示すように、昇降部材７１の表示窓部７３の後方に演出画像４４が表示されるため、演出画像４４が昇降部材７１の表示窓部７３を介して視認されることとなり、あたかも演出画像４４が昇降部材７１の一部であるかのような演出（統合演出）をすることができる。従って、統合演出を、昇降部材７１と演出画像４４との一体感の高い、興趣性の高い演出とすることができる。
【００５３】
また、実施形態のパチンコ遊技機１では、統合演出に用いる可動体として、上下方向に移動する昇降部材７１のほかに、左右方向に移動する左側開閉部材５１および右側開閉部材５２とを有しているため、統合演出のバリエーションを増やすことができる。そして、このように複数の可動体７１，５１，５２をパチンコ遊技機に対して配設する場合には、いずれかの可動体（実施形態では昇降部材７１）を、表示画面４２ａから前方に離して配設する必要が生じるところ、実施形態のパチンコ遊技機１では、表示画面４２ａから前方に離して配設した昇降部材７１を、表示画面４２ａとの前後方向の離隔距離が初期配置時のＬ１からＬ２へと小さくなるように後方へ移動させるため、統合演出において、演出画像４４が昇降部材７１に対してずれて視認されるおそれが少ない。すなわち、予め表示画面４２ａとの離隔距離がＬ３と小さい左側開閉部材５１および右側開閉部材５２を用いて統合演出を実行する場合であっても、表示画面４２ａとの離隔距離がＬ１と大きい昇降部材７１を用いて統合演出を実行する場合であっても、各演出画像４４，４５が各可動体７１，５１，５２に対して狙い通りの位置で良好に視認されやすいため、統合演出を、遊技者に違和感無く視認され得る意匠性の良い演出とすることができる。
【００５４】
２．変更例
以上、本発明の実施形態について説明したが、本発明の実施にあたっては、上記実施形態に限定されるものではなく、特許請求の範囲を逸脱しない限りにおいて種々の構成を採り得る。なお、変更例の説明において、実施形態のパチンコ遊技機１と同様の構成については、実施形態のパチンコ遊技機１と同様の符号を付して説明を省略する。
【００５５】
例えば、実施形態では、統合演出は、昇降部材７１の表示窓部７３の後方に演出画像４４を表示する演出として説明したが、図１４のＡに示すように、昇降部材７１の上昇位置に合わせて、昇降部材７１の周囲に演出画像４６を表示する演出としてもよい。このように昇降部材７１の周囲に演出画像４６を表示した場合であっても、上昇移動した昇降部材７１と表示画面４２aとの離隔距離がＬ２（図９参照）であることから、演出画像４６が昇降部材７１に対してずれて視認されることがなく、意匠性の良い統合演出とすることができる。なお、上昇移動した昇降部材７１と表示画面４２aとの離隔距離をＬ１（図９参照）とした場合には、図１４のＢに示すように、演出画像４６の一部が昇降部材７１と重なってしまい、演出画像４６の良好な視認が阻害される。
【００５６】
また、実施形態では、昇降可動体装置７０は、スライダー部７９，８３をガイド溝部８６，８８に係合させて、昇降部材７１の上斜め後方への移動を案内する構成としたが、このようなガイド機構７９，８３，８６，８８を設けずとも、図１５に示すようなリンク機構を用いて、昇降部材７１を初期配置位置から上斜め後方へ移動可能に構成してもよい。この場合、リンク部材１１０は、昇降部材７１の両側面に１つずつ設けられ、各リンク部材１１０，１１０は、一端部１１０ａ，１１０ａが、昇降部材７１の両側面の揺動アーム１０２，１０６の軸支位置の上方に軸支され、他端部１１０ｂ，１１０ｂが、ベース枠体３６側となる固定側に軸支される。そして、電動モータ９３が駆動されれば、各リンク部材１１０，１１０は、元部端１１０ｂ，１１０ｂを回転中心として図示矢印の方向に回転するため、昇降部材７１は、実施形態の場合と同様、表示画面４２aとの前後方向の離隔距離を縮めながら上昇することができる。
【００５７】
また、実施形態では、昇降部材７１を表示画面４２aの下方に初期配置して上昇移動するように構成したが、統合演出に使用する可動体は、移動後の表示画面４２aとの離隔距離をＬ１未満に縮めて移動するものであれば、初期配置の位置や、移動の軌跡などは、自由に変更可能である。
【００５８】
また、実施形態では、昇降部材７１と表示画面４２aとの前後方向における間に、左側開閉部材５１および右側開閉部材５２を配設して構成したが、昇降部材７１と表示画面４２aとの間は、開閉部材５１，５２に代えて、他の可動物や固定役物などを配設したり、また何も配設しないで構成するなど、自由に変更可能である。
【符号の説明】
【００５９】
１…パチンコ遊技機
４２…画像表示装置
４２ａ…表示画面
４４，４５，４６…演出画像
５１…左側開閉部材（他の可動体）
５２…右側開閉部材（他の可動体）
７０…昇降可動体装置（可動体装置）
７１…昇降部材（可動体）
７３…表示窓部
Ｓ…視認可能領域
【図１】
2011010872.tif 000003
【図２】
2011010872.tif 000004
【図３】
2011010872.tif 000005
【図４】
2011010872.tif 000006
【図５】
2011010872.tif 000007
【図６】
2011010872.tif 000008
【図７】
2011010872.tif 000009
【図８】
2011010872.tif 000010
【図９】
2011010872.tif 000011
【図１０】
2011010872.tif 000012
【図１１】
2011010872.tif 000013
【図１２】
2011010872.tif 000014
【図１３】
2011010872.tif 000015
【図１４】
2011010872.tif 000016
【図１５】
2011010872.tif 000017